(57)【要約】【課題】ノズルチップのノズル部材への取付けがきわめて簡単にでき、多種類のノズルチップを準備することによって所望のノズル部材を得られるようにしたスプレーノズルを提供すること。【解決手段】ポンプを装着した取付キャップと、ポンプのステムに取着されたノズル部材とからなるスプレーノズルであって、ノズル部材は、ノズル基台と、ノズル基台に着脱自在に取着されるノズルチップと、ノズルチップをノズル基台に押しつけ可能なノズル本体とからなることを特徴とする。【選択図】　　　　図１
2004000844.tif 000002
【特許請求の範囲】
【請求項１】
ポンプを装着した取付キャップと、ポンプのステムに取着されたノズル部材とからなるスプレーノズルであって、
ノズル部材は、ノズル基台と、ノズル基台に着脱自在に取着されるノズルチップと、ノズルチップをノズル基台に押しつけ可能なノズル本体とからなることを特徴とするスプレーノズル。
【請求項２】
ノズル基台は、ヘッド内筒にスピン溝を刻設していることを特徴とする請求項１記載のスプレーノズル。
【請求項３】
ノズルチップとして、噴出孔、スピン溝の形状が異なる多種類のノズルチップを取り揃えていることを特徴とする請求項１記載のスプレーノズル。
【発明の詳細な説明】
【０００１】
【発明の属する技術分野】
本発明は、スプレーノズル、とくにスプレーノズルのノズル部材に関する。
【０００２】
【従来の技術】
スプレーとして、上端に噴出孔（１２）を設けたノズル部材（ブツシュ要素２、第１の外部部品２０）を、エアゾール容器（１）のステム（弁棒４）に取付けた点鼻スプレーは従来より知られており（例えば、特公平６−１３０５３号公報参照）、また、ノズルチップ（１３）を、ノズル部材（吐出接続部材２０）先端の挿入孔に嵌着したスプレーも従来より知られている（例えば、特公平６−６２１６９号公報参照）。
【０００３】
【発明が解決しようとする課題】
スプレーにおいては、所望する噴霧量、噴霧パターンに応じたスプレーを使用することが求められるが、前者の公報記載のものでは、ノズル部材（２０）を取り変えなければならず、所望するスプレーを提供するために、数多くのノズル部材（２０）を準備しなければならないという問題があった。
【０００４】
後者の公報記載のものでは、多種類のノズルチップ（１３）を準備し、ノズルチップ（１３）を取り変えることによって、所望するスプレーを提供することは可能である。
しかし、取り変えにあたって、ノズルチップをノズル部材の挿入孔に嵌合するときに、ときには嵌合にゆるみがでる場合もあった。
ノズルチップの嵌合にゆるみがあると、噴出圧が高い場合に、ノズルチップがノズル部材の挿入孔から外れて飛び出すという問題もあった。
【０００５】
本発明は、上記の問題を解決することを課題として、ノズルチップのノズル部材への取付けがきわめて簡単にでき、多種類のノズルチップを準備することによって所望のノズル部材を得られるようにしたスプレーノズルを提供することを目的とする。
【０００６】
【課題を解決するための手段】
本発明は、上記の課題を解決するため、スプレーノズルとして、ポンプを装着した取付キャップと、ポンプのステムに取着されたノズル部材とからなるスプレーノズルであって、ノズル部材は、ノズル基台と、ノズル基台に着脱自在に取着されるノズルチップと、ノズルチップをノズル基台に押しつけ可能なノズル本体とからなることを特徴とする構成を採用する。
【０００７】
ノズル基台には、ヘッド内筒にスピン溝を刻設することを特徴とする構成、或いは、ノズルチップとして、噴出孔、スピン溝の形状が異なる多種類のノズルチップを取り揃えることを特徴とする構成を採用する。
【０００８】
【発明の実施の形態】
次に、本発明のスプレーノズルの実施形態について、図面を参照して説明する。
図１において、Ａは取付キャップ、Ｂは取付キャップＡに保持されたポンプ、Ｃはノズル部材、ＡＯは点鼻薬その他薬用液が充填された容器である。
【０００９】
取付キャップＡは、側周壁１と環状の上壁２とを具えており、側周壁１内周の上部は、下端に膨出環３を設けたポンプ支持面４となっており、ポンプ支持面４の下方には、容器ＡＯ口部のねじに螺合するねじ５が螺設されている。
上壁２の下面は、ポンプＢの取付面となっており、上面周縁には、案内筒６が立設されている。
【００１０】
ポンプＢは、シリンダーＢ１とピストン部材Ｂ２とを具えており、シリンダーＢ１の上方部には、取付フランジ１０が設けられており、下端には、吸込みパイプ１１が取着されている。
【００１１】
ピストン部材Ｂ２のピストン部は、シリンダーＢ１内に内蔵されており、ポンプＢの内部構造は、ノズル部材Ｃの操作に応じて容器ＡＯの薬用液を吸上げ、ノズルから噴霧できるものであればよく、従来公知のものであるので説明を省略する。
シリンダーＢ１の上方には、ピストン部材Ｂ２のステム１２が突出している。
【００１２】
ノズル部材Ｃは、ノズル基台２０と、該ノズル基台２０の先端に装着されたノズルチップ２１と、ノズル本体２２とからなっている。
ノズル基台２０は、ピストン部材Ｂ２のステム１２に嵌着される連結筒２３とヘッド内筒２４とからなっており、連結筒２３の内周下端は拡径され、嵌合部２５が形成され、ステム１２の上端に嵌合されるようになっている。
【００１３】
図２に示すように、連結筒２３の内部は流通路２６となっており、連結筒２３の上端部外周は、縮径されて係合筒部２７となっている。
係合筒部２７の上端には、流通孔２８が穿孔され、その上方にはヘッド内筒２４が続いている。
【００１４】
ヘッド内筒２４は、頂壁２９と側周壁３０とからなっており、側周壁３０には、流通孔２８に続く流通路３１が設けられている。
【００１５】
図３に示すように、ノズルチップ２１は、頂壁３２と側周壁３３とを具えており、頂壁３２には、噴出段部３４が立設されており、その中央には凹部３５が設けられ、中心には噴出孔３６が穿孔されている。
頂壁３２の裏面には、複数の段部３７が設けられ、複数のスピン溝３８が形成されている。
【００１６】
側周壁３３外周の中間部には、フランジ３９が突設されており、内周にはヘッド内筒２４の側周壁３０との間に流路を形成する円筒部４０と、傾斜部４１および係合筒部２７に嵌合する嵌合部４２が形成されている。
【００１７】
ノズルチップ２１のノズル基台２０への取付時には、図２に示すように、ノズルチップ２１をノズル基台２０のヘッド内筒２４に被せて、嵌合部４２を連結筒２３の係合筒部２７に嵌合する。
その際、ノズルチップ２１とヘッド内筒２４のそれぞれの頂壁３２と頂壁２９の間隙、および側周壁３３と側周壁３０との間隙によって流路４３が形成され、連結筒２３の流通路２６、流通孔２８、流通路３１に続く噴出流路が構成される。
【００１８】
ノズル本体２２は、図１に示すように、基板４４と基板４４に立設されたノズル筒４５とからなっており、基板４４の下面には、案内筒４６が垂設されている。
【００１９】
ノズル筒４５は、頂壁４７と側周壁４８とからなり、頂壁４７には、ノズルチップ２１の噴出段部３４の周縁に嵌合する開口４９が穿孔されており、側周壁４８の内周には、ノズルチップ２１のフランジ３９に係合する段部５０が設けられている。
【００２０】
次に、本実施形態のスプレーノズルの使用態様と作用効果について説明する。
本発明のスプレーノズルは、取付キャップＡに保持されたポンプＢのステム１２にノズル部材Ｃを取着し、取付キャップＡを、点鼻薬その他の薬用液を充填した容器Ａ０にパッキンを介して螺着することによって得られる。
【００２１】
ノズル部材Ｃの組立にあたって、まず、ノズルチップ２１を、ノズル基台２０の連結筒２３の係合筒部２７に、ノズル基台２０の頂壁２９に頂壁３２内面の段部３７を接合させるように嵌着する。
次いで、ノズル本体２２を、ノズルチップ２１の上方から、ノズル筒４５の頂壁４７の開口４９を噴出段部３４に係合させ、段部５０をフランジ３９に係合させるようにして嵌挿させる。
【００２２】
また、ノズルチップ２１の取外しは、ノズル本体２２を取外して、ノズルチップ２１のフランジ３９をもって持ち上げるだけでよいので、ノズルチップ２１のノズル基台２０への取付け、取外しは容易にできる。
【００２３】
スプレーノズルの使用にあたって、オーバーキャップ（図示しない）を取外し、ノズル本体２２の基板４４を押下げると、ポンプＢのピストン部材Ｂ２が押下げられ、薬用液をノズルチップ２１の噴出孔３６より噴霧することができる。
【００２４】
次いで、基板４４から手を離すと、ポンプＢ内に弾装されたばねの付勢により、ノズル部材Ｃが上昇し、容器ＡＯ内の薬用液が吸込みパイプ１１を通じてポンプＢのシリンダーＢ１内に吸上げられる。
【００２５】
噴霧時には、ノズルチップ２１は、ノズル筒４５の頂壁４７と段部５０によって押えられているので、噴出圧力が高くなっても、ノズルチップ２１がノズル基台２０から外れて飛び出すことはない。
【００２６】
ノズルチップとして、噴出孔、スピン溝の形状の異なるノズルチップを各種類用意している。
スプレーノズルの組立時に、所望する噴霧量、噴霧パターンに応じてノズルチップを取付けることによって、各種のスプレーノズルを提供することができる。
【００２７】
上記実施形態では、スピン溝をノズルチップに設けたが、ノズル基台のヘッド内筒の上面にスピン溝を設け、ノズルチップとして、噴出孔の径、形状の異なるものを用意してもよい。
また、上記実施形態では、ポンプを用いて薬用液を吸上げ噴霧するようにしているが、エアゾール容器を用い、そのステムにノズル部材を取付け噴霧するようにしてもよい。
【００２８】
【発明の効果】
本発明は、上記のように構成されているから、次の効果を奏する。
ノズルチップを、着脱自在にノズル部材に装着するようにしているから、噴出量、噴霧パターンに応じて、多種類のノズルチップを準備しておけば、所望するスプレーノズルを提供することができる。
【００２９】
使用時には、ノズルチップがノズル本体のノズル筒によって押さえられているので、ノズル基台から取外れることはない。
【図面の簡単な説明】
【図１】本発明スプレーノズルの一部断面立面図である。
【図２】ノズルの説明図である。
【図３】ノズルチップの説明図で、（ａ）は上面図、（ｂ）は断面立面図、（ｃ）は底面図である。
【符号の説明】
Ａ　　　取付キャップ
ＡＯ　　容器
Ｂ　　　ポンプ
Ｂ１　　シリンダー
Ｂ２　　ピストン部材
Ｃ　　　ノズル部材
１２　　ステム
２０　　ノズル基台
２１　　ノズルチップ
２２　　ノズル本体
２３　　連結筒
２４　　ヘッド内筒
２５　　嵌合部
２６　　流通路
２７　　係合筒部
２８　　流通孔
２９　　頂壁
３０　　側周壁
３１　　流通路
３２　　頂壁
３３　　側周壁
３４　　噴出段部
３５　　凹部
３６　　噴出孔
３７　　段部
３８　　スピン溝
３９　　フランジ
４４　　基板
４５　　ノズル筒
４７　　頂壁
４８　　側周壁
４９　　開口
５０　　段部
【図１】
2004000844.tif 000003
【図２】
2004000844.tif 000004
【図３】
2004000844.tif 000005